(57)【要約】      （修正有）【課題】  広告を配信するに際し、特定の空間・時間に限定したエリアを広告に接触するための入口とし、且、該エリア内に存する閲覧希望者に対して、そのエリア限定の広告を配信し、エリア毎の広告への接触数を分析・評価し、アンケートを行うことで、エリア毎の広告の有効性を分析・評価することが出来る広告配信システムを提供する。【解決手段】  限定されたエリアにおいて、広告が存在していることを示すサインと共にリクエスト用情報を掲出する第１の過程と、取得要求を行う第２の過程と、該取得要求を行った者に対して閲覧可能な広告一覧を作成し、且、一覧取得用情報を提供する第３の過程と、該一覧取得用情報を用いて広告一覧の取得要求を行う第４の過程と、該取得要求に応じて広告一覧を提供する第５の過程と、該広告一覧から所望の広告を選択し広告の取得要求を行う第６の過程と、該取得要求に応じて広告を提供する第７の過程とからなることを特徴とする。【選択図】      図１
2007041816.tif 000002
【特許請求の範囲】
【請求項１】
限定された空間と時間で構成されるエリアにおいて、広告が存在していることを示すサインと共にリクエスト用情報を掲出する第１の過程と、該リクエスト用情報に接した者が取得要求を行う第２の過程と、該取得要求を行った者に対してリクエスト用情報で特定される閲覧可能な広告一覧を作成し、且、該広告一覧を取得するための一覧取得用情報を提供する第３の過程と、該一覧取得用情報を用いて広告一覧の取得要求を行う第４の過程と、該取得要求に応じて広告一覧を提供する第５の過程と、該広告一覧を受け取った者が該広告一覧から所望の広告を選択し広告の取得要求を行う第６の過程と、該取得要求に応じて広告を提供する第７の過程とからなることを特徴とする広告配信システム。
【請求項２】
前記第７の過程後に、広告閲覧者にアンケートを行い、該アンケート回答情報に基づいて利用者を特定するＩＤを生成すると共に、閲覧した広告の数に応じて該ＩＤにポイントを関連付けて記憶する第８の過程を行うようにしたことを特徴とする請求項１記載の広告配信システム。
【請求項３】
前記掲出したリクエスト用情報が、掲出したエリアを特定出来るものであることを特徴とする請求項１又は２記載の広告配信システム。
【請求項４】
エリアが列車を構成する車両、劇場、映画館等の特定の空間と時間に限定されていることを特徴とする請求項１乃至３のいずれかに記載の広告配信システム。
【請求項５】
リクエスト用情報が、メールアドレスであることを特徴とする請求項１乃至４のいずれかに記載の広告配信システム。
【請求項６】
リクエスト用情報が、ＩＣタグ、ＩＣチップ等の情報記憶媒体に記憶されていることを特徴とする請求項１乃至５のいずれかに記載の広告配信システム。
【請求項７】
一覧取得用情報が、電子メールに添付されていることを特徴とする請求項１乃至６のいずれかに記載の広告配信システム。
【請求項８】
前記提供される広告がＷＥＢ形式で作成されていることを特徴とする請求項１乃至７のいずれかに記載の広告配信システム。
【発明の詳細な説明】
【技術分野】
【０００１】
本発明は、限定された空間と時間で構成されるエリアにおいて広告に接触する機会を入口と定義し、該エリア内に存する広告閲覧希望者に対して、該エリア限定の広告を配信することで、エリア毎の広告への接触数を分析・評価することが出来、又、広告閲覧者による他者への広告紹介を促すことで、波及効果による更なる広告到達の有効性を獲得することが出来、更に、広告配信後に閲覧者に対しアンケートを行うことで、エリア毎の広告の有効性を分析・評価することが出来る広告配信システムに関する。
【背景技術】
【０００２】
従来よりメールを利用した広告配信システムは種々開発され利用されてきているが、単に広告配信側から閲覧者に一方的に広告を配信しているものであり、広告自体が実際に閲覧されているのか否かを判断することが出来なかった。そこで、閲覧を希望する者からの広告取得要求を受けてから実際に広告を配信し、閲覧させるというシステムが開発された。（特開２００４−１１０５０６号公報）
【０００３】
この従来のシステムは、広告の存在をＷＥＢサイトを用いて掲出し、これにアクセスした不特定多数の利用者が、掲載されている広告のなかから興味をもった広告についてその詳細な広告情報を要求してきた際に、該広告に関する情報又は広告情報と共に情報掲載サイトのＵＲＬといった広告に関する情報を、前記詳細な広告情報を要求した利用者を識別出来るＩＤを付加して該利用者に返送し、これを受けた利用者が返送された情報に基づいて広告を閲覧出来るようにすると共にポイントを付加するようにしたものである。又、利用者が他の者に広告情報を紹介し、紹介された他の利用者が広告を閲覧することで紹介ポイントが得られるようになっているものである。
【０００４】
この従来のシステムを利用することで、広告主は広告を単に一方的に配信するという無駄を減らせ、且、広告を必要とする者のみに配信することが可能となるものであるが、利用者からの広告取得要求に対し広告の詳細である広告情報を返送しているため、これを受け取った利用者が広告を確実に閲覧しているのかを判断することが難しいという問題がある。又、単に利用者からの要求に応じて広告情報を返信しているにすぎないので、例えば、どこの地区の、どの時間に掲出した広告が、利用者の目を引き、又、必要とされているのかといった、特定のエリアにおける広告並びに該広告の有効性を検証するようなことは出来ないという問題がある。
【０００５】
【特許文献１】特開２００４−１１０５０６号公報
【発明の開示】
【発明が解決しようとする課題】
【０００６】
広告を配信するに際し、テレビ・雑誌・新聞・ＷＥＢサイトを利用して一方的にメディアに広告を掲出して配信するのではなく、限定された空間と時間のエリアを広告に接触するための入口とし、且、該エリア内に存する閲覧希望者に対して、そのエリア限定の広告を配信することで、エリア毎の広告への接触数を分析・評価し、又、広告配信後に閲覧者に対しアンケートを行うことで、エリア毎の広告の有効性を分析・評価することが出来る広告配信システムを提供せんとするものである。
【課題を解決するための手段】
【０００７】
課題を解決するためにこの発明が採った手段は、限定された空間と時間で構成されるエリアにおいて、広告が存在していることを示すサインと共にリクエスト用情報を掲出する第１の過程と、該リクエスト用情報に接した者が取得要求を行う第２の過程と、該取得要求を行った者に対してリクエスト用情報で特定される閲覧可能な広告一覧を作成し、且、該広告一覧を取得するための一覧取得用情報を提供する第３の過程と、該一覧取得用情報を用いて広告一覧の取得要求を行う第４の過程と、該取得要求に応じて広告一覧を提供する第５の過程と、該広告一覧を受け取った者が該広告一覧から所望の広告を選択し広告の取得要求を行う第６の過程と、該取得要求に応じて広告を提供する第７の過程とからなることを特徴とする。
【０００８】
前記第７の過程後に、広告閲覧者にアンケートを行い、該アンケート回答情報に基づいて利用者を特定するＩＤを生成すると共に、閲覧した広告の数に応じて該ＩＤにポイントを関連付けて記憶する第８の過程を行うようにしたことを特徴とする。
【０００９】
又、前記掲出したリクエスト用情報が、掲出したエリアを特定出来るものであることを特徴とする。
【００１０】
更に、エリアが列車を構成する車両、劇場、映画館等の特定の空間と時間に限定されていることを特徴とする。
【００１１】
更に、リクエスト用情報が、メールアドレスであることを特徴とする。
【００１２】
更に、リクエスト用情報が、ＩＣタグ、ＩＣチップ等の情報記憶媒体に記憶されていることを特徴とする。
【００１３】
更に、一覧取得用情報が、電子メールに添付されていることを特徴とする。
【００１４】
更に、前記提供される広告がＷＥＢ形式で作成されていることを特徴とする。
【発明の効果】
【００１５】
本発明によれば、
【発明を実施するための最良の形態】
【００１６】
この発明のシステムは、まず限定された空間と時間をエリアを定義する。次にエリア内において、エリア限定の広告が配信されていることを示すサインと共に広告を取得するためリクエスト用情報を掲出する。広告閲覧希望者は該リクエスト用情報を用いて広告取得要求を行う。即ち、広告閲覧希望者はエリアを入口としなければ広告に接することが出来ず、従来より行われているテレビ・雑誌・新聞・ＷＥＢサイトを利用した一方的な広告と比べ、広告に対する接し方が全く異なるものである。
【００１７】
次にリクエスト用情報を用いて広告取得要求を行った広告閲覧希望者に対し、そのリクエスト用情報を掲出したエリアで提供される広告の一覧を生成し、該一覧を取得するための一覧取得情報を該閲覧希望者に提供する。この段階で提供される一覧取得情報はあくまでも、前記リクエスト用情報が掲出されたエリアに限定、即ち、限定された空間と時間に限定されて配信される広告の一覧であって、広告自体が提供されるわけではない。
【００１８】
一覧取得情報を取得した広告閲覧希望者は、引き続き該一覧取得情報を用いて一覧情報の取得を行い、更に取得した一覧情報から所望の広告を選択して、広告の提供を受け閲覧する。即ち、この時点で始めて、リクエスト用情報を取得したエリアに配信されている広告を閲覧出来るわけである。又、広告提供時に閲覧者にアンケートを行うことも可能であり、アンケート内容としては、性別・年齢・職業・メールアドレスといった情報と共に広告に対する感想を問うことが出来る。
【００１９】
このように本システムにおいては、広告を提供する場所を、限定された空間と時間で構成されるエリアとすることで、エリア毎の広告への純粋な接触数を分析・評価し、又、広告配信後に閲覧者に対しアンケートを行うことで、エリア毎の広告の有効性を分析・評価することが出来るものである。即ち、同じ空間であっても、朝・昼・夕と時間が異なることで閲覧される広告に変化が出ているとか、同じ時間であるが空間が異なることで閲覧される広告に変化が出るといったことを分析・評価することが可能となる。
【００２０】
又、前記閲覧者が、エリアにおいて取得したリクエスト用情報を他者に渡すことも勿論可能であり、この場合、これを受け取った者はリクエスト用情報が掲出されたエリアに居なくとも、エリアに限定された広告の一覧を取得し、且、この一覧から広告を取得することが可能となるので、波及効果による更なる広告到達の有効性を獲得することも出来るようになる。
【００２１】
更には、前記広告に関連付けた購入サイトを併設することも可能である。即ち、前述のプロセスを経て広告を閲覧した後に、広告掲載商品を購入することも出来るようにする。これにより、前述の広告の有効性と共に、広告に接した者の購買喚起度も分析・評価することが出来るようになる。
【実施例】
【００２２】
以下、図面を参照しつつこの発明の一実施例を詳細に説明する。図１はこの発明の概念図であり、配信管理をしている全ての広告に関する情報を記憶して、KEYmailの作成・送信、利用者ＩＤの生成・管理等システム運用に必要な全ての処理を行うサーバと、利用者端末とをインターネット等の通信回線を介して接続されたものである。図２はシステムの概略フローチャートである。図３は利用者Ａから利用者ＢにKEYmailが転送された後に実行される概略フローチャートである。
【００２３】
まず本実施例においては、エリアを電車の車両毎に設定したものとする。サーバには広告主より提供された種々の広告が、掲出を希望する限定された空間と時間、即ちエリアの配信情報に関連付けられて記憶されている。該サーバは記憶している広告配信についての処理を行うコンテンツ管理機能と、後述のリクエスト用アドレスの掲出、KEYmailの生成・送信等の処理を行うKEY送信管理機能を有する。サーバは前記広告に関連付けられた配信情報に基づきエリア内で広告が配信されていることを示す情報、例えば簡単なキャッチコピー（但しこのキャッチコピーはシステムが稼働していることを示すものであって、広告とは直接関連のないものである。）と共に、リクエスト用情報としてメールアドレス（以下単にリクエスト用アドレスＡという）を掲出する(step101)。該リクエスト用アドレスＡは、これを掲出したエリアを特定することが出来る、例えば[空間名+時間@xxx.co.jp]のようなアドレスとなっている。
【００２４】
本実施例ではエリアを電車の車両毎に設定しているが、列車一編成をエリアと設定することも可能である。尚、エリアはこれに限られず、例えば映画館・劇場等の空間や、駅前広場・市内全域等といった空間に、時間を限定して設定することも可能であり特に限定されるものではない。又、同じ地域内に複数のエリアを存在させることも可能である。例えば、駅前広場の東側、西側、北側の各々のビルの壁面や電光掲示板に、各々異なるリクエスト用アドレスを表示させることで、同じ地域内に複数のエリアを存在させることも可能である。更に、テレビ放送にリクエスト用アドレスを掲出させ、利用者に該アドレスを記録・保存させ、これを該広告への接触の入口としてもよい。
【００２５】
電車（車両）に乗り込んだ乗客（以下単に利用者Ａという）は、サーバのKEY送信管理機能により車両内に掲出されているリクエスト用アドレスＡに接する(step102)。勿論、車両毎にエリアを設定しているため、乗り込む車両によって異なるリクエスト用アドレスＢ、Ｃ・・・に接することになる。該リクエスト用アドレスＡ、Ｂ、Ｃ・・・の掲出は、車内つり広告であってもよいが、後述のように本システムでは時間に応じた掲出広告の有効性を分析することが出来るという利点があるので、例えば車内備付の液晶画面を利用してリクエスト用アドレスを掲出するのが好ましい。又、列車の走行区間や走行時間、例えば朝・昼・夜等に応じて異なるリクエスト用アドレスを掲出するようにしてもよい。このようにきめ細かな条件を設定しつつリクエスト用アドレスを掲出することで、乗客が接したリクエスト用アドレスを特定することが可能となり、空間・時間によって必要とされる広告、興味がもたれた広告を詳細に分析することが可能となる。つまり、広告へ接するための入口毎に、広告の到達度・有効性を分析・評価することが出来るものである。尚、リクエスト用アドレスの掲出方法は列車において掲出する場合のものであるがこれに限られない。エリアによっては電光掲示板に掲出する、ビラに記載して配布する、ＩＣタグ、ＩＣチップ等の情報記憶媒体に記憶させておき利用者が読み出す等、そのエリアによって様々な掲出方法を採用することが出来る。
【００２６】
次に前記掲出されたリクエスト用アドレスＡに接した乗客（以下単に利用者Ａという）は、利用者Ａが所有する携帯電話やノートパソコン等のメール機能付き端末機（以下単に端末という）を操作して、該リクエスト用アドレスＡ宛にメールを送信する(step103)。この送信メールは件名・内容等は一切記述不要であり、いわゆる空メールを送るのみでよい。したがって、この時点で利用者Ａは自身のメールアドレスを開示するに過ぎず、その他一切の個人情報は開示しなくてよい。
【００２７】
前記空メールを受け取ったサーバは、空メールからリクエスト用アドレスＡを抽出し・解析し、リクエスト用アドレスＡを掲出したエリアを特定する。次にサーバに記憶されている広告から、該特定したエリアで閲覧可能な広告を抽出し、これら抽出した広告の一覧情報を生成する(step104)。該一覧情報はＷＥＢ形式になっており、端末のブラウザ機能を用いて閲覧出来るようＵＲＬが付与されたものとなっている。一覧情報の生成に際しては、リクエスト用アドレスＡで限定されるエリア（空間・時間）における広告を対象とする他、空間のみ限定し時間に関しては生成時の時間に応じた広告を対象としてもよい。この一覧情報の作成と同時に、該生成したＵＲＬへアクセス可能な専用コード（以下単にKEYナンバーＡという）を生成し利用者Ａにメール（以下単にKEYメールＡという）で送信する(step105)。尚、該KEYナンバーは利用者毎、即ち前記リクエスト用アドレスにメールを送ってきた利用者毎に異なるナンバーである。即ち、同じリクエスト用アドレスにメールを送ってきたとしても、KEYナンバーは利用者毎にKEYナンバーＡ、Ｂ、Ｃ・・・と異なるものが生成される。この利用者に返信されるKEYメールには、KEYナンバー及び利用ガイドが記載されておりこの時点で広告を閲覧することは出来ない。尚、ここまでの処理はサーバのKEY送信管理機能により処理される。又、以後の広告の配信・ＩＤに関する処理等については同サーバのコンテンツ管理機能により処理される。
【００２８】
次に利用者Ａは前記サーバより送信されたKEYメールＡに記載されたKEYナンバーＡを用いて一覧情報にアクセスを行い(step106)、から一覧情報を取得する(step108)。この時、サーバはKEYナンバーＡの利用回数をカウントし記憶する(step107)。該一覧情報へのアクセス方法は端末によってその方法が異なるが、例えばKEYナンバーをクリックすることで一覧情報に接続され、端末のブラウザ機能によって画面に表示されるようにするのが好ましい。端末に表示された一覧情報は、前述のように利用者Ａがリクエスト用アドレスＡを取得したエリアで閲覧可能な広告の一覧であって、サーバに記憶されている全ての広告の一覧ではない。これにより、リクエスト用アドレスを掲出したエリアに限定した広告を配信することが可能となる。次に利用者Ａは、端末に表示された一覧情報から閲覧を希望する広告を選択しサーバに配信要求を行う(step109)。この一覧からの広告選択は、例えば閲覧希望の広告をクリックすると選択出来るようにするのが好ましい。この配信要求によりサーバから広告が配信され(step110)、端末画面上に表示されるので、広告を閲覧することが出来る。
【００２９】
前記サーバより配信された広告を閲覧し終えた利用者は、次に広告に設けられているアンケート欄に必要事項を入力する(step111)。該アンケートの内容は、性別・年齢・職業・メールアドレス等であるが特にこれに限られるものではない。サーバはこの入力されたアンケート情報からメールアドレスを抽出し(step112)、サーバに該アドレスが記憶されていないか検索する。検索の結果、記憶されていない場合には、該メールアドレスに関連付けたＩＤを生成し(step113)、又、既にメールアドレスが記憶されている場合には関連付けられているＩＤを抽出する(step114)。即ち、ここで始めて利用者ＡにＩＤが付与されるものであって、単に広告を閲覧しただけではＩＤの付与はなく、メールアドレスがサーバに管理されることはない。（以下単に利用者Ａのメールアドレスに付与されたＩＤを、ＩＤ−Ａとする。）
【００３０】
次に前記生成（又は抽出）したＩＤ−Ａに広告閲覧ポイント（以下単にポイントという）を付与する(step115)。又、同時に利用者Ａに対し、ＩＤ−Ａが付与され、且、ポイント付与が付与されたことをメールで通知する(step116)。尚、この通知は必ずしも必要なものではなく、又、ＩＤ−Ａのみを通知するようにしてもよい。又、該ポイントは１つの広告を閲覧する毎に付与されるようになっており、前記サーバより取得した一覧情報のから複数の広告の閲覧を行った場合、前記step109からstep116が繰り返され、広告の閲覧回数に沿ってポイントが付与される。但し、同じ広告を複数回閲覧したとしても、複数のポイントが付与されることはなく、始めに閲覧した際にポイントが付与され以後の同じ広告を閲覧してもポイントは付与されない。
【００３１】
以上がリクエスト用アドレスＡに接した利用者Ａが広告を閲覧するためのプロセスを説明したものであり、前述のように乗客が接したリクエスト用アドレスから乗客がリクエスト用アドレスを取得したエリアを特定することが可能であり、空間と時間によって必要とされる広告、興味がもたれた広告を詳細に分析することが可能となる。つまり、広告へ接するための入口毎に、広告の利用者への到達度や有効性を分析・評価することが出来るものである。
【００３２】
次に利用者Ａが、他者（以下単に利用者Ｂという）に広告を紹介する方法について説明する。広告の閲覧に関する処理(step203からstep213）は前記利用者Ａが行った処理(step106〜step116)と基本的に同一であるため、重複する説明は省略する。利用者Ａは前記サーバより受け取ったKEYメールＡを、そのまま利用者Ｂに転送する(step201)。KEYメールＡを受け取った利用者Ｂは(step202)、前述の利用者Ａが行ったとの同様に、KEYナンバーＡを用いて一覧情報の取得要求を行い(step203)、サーバから一覧情報の提供を受ける。(step205)。この一覧情報は、KEYナンバーＡを基に生成されている、即ち、利用者Ａが取得したリクエスト用アドレスＡを基に生成されているため、前記利用者Ａが取得した一覧情報と同一のものである。即ち、利用者Ｂは自身がいるエリアに関係なく、利用者Ａがいたエリアの一覧情報を取得することととになる。尚、この時、サーバは一覧情報の送信と共にKEYナンバーＡの使用回数のカウント及び記憶を行う(step204)
【００３３】
利用者Ｂは前記取得した一覧情報より閲覧したい広告を選択し取得要求を行い(step206)、サーバから広告の配信を受ける(step207)。又、閲覧完了時にアンケート欄に必要事項を入力する(step208)。引き続き、サーバにより入力アドレスの抽出・照会が行われる(step209)。引き続き利用者ＢのＩＤ−Ｂの生成(step210)又はＩＤ−Ｂの抽出(step211)が行われ、該ＩＤ−Ｂに対しポイントの付与がなされる(step212)。又、同時に利用者Ｂに対し、ＩＤ−Ｂ及びポイントの通知がメールによって行われる(step213)。即ち、利用者Ｂはリクエスト用アドレスＡに接し、空メールを送信するという動作以外は全て利用者Ａが行った動作と同一の動作を行う。
【００３４】
次にサーバは前記step204で得たKEYナンバーＡの使用回数を検索する。前述のように利用者ＡがKEYナンバーＡを使用した時点で使用回数がカウント・記憶されているため、今般の利用者ＢによるKEYナンバーＡの使用は、２度目であると判定されるので、KEYナンバーＡに関連付けられているメールアドレスをサーバ内より検索する(step214)。引き続きメールアドレスに関連付けられたＩＤ−Ａをサーバ内より検索し(step215)、該ＩＤ−Ａに照会ポイントを付加する(step216)。この時同時にKEYメールＡを転送した利用者Ａに対し、照会ポイントが付与されたことをメールで通知する(step217)。
【００３５】
前記利用者Ａ及び利用者Ｂが広告閲覧により得たポイント、並びに利用者Ａが得た照会ポイントは、その閲覧又は照会が行われる毎に無限に付加されるものではなく、リクエスト用アドレスに接した利用者Ａから直接KEYmメールＡを受け取った利用者Ｂの関係、即ち、利用者Ａを親とした時、子である利用者Ｂが閲覧した時にポイントの付与が行われるが、利用者Ｂが更に他の利用者ＣにKEYメールＡを転送したとしても、利用者Ａにはポイントの付与は行われない。勿論、利用者Ａが複数回利用者ＢにKEYメールＡを転送し、利用者ＢがKEYメールＡを用いて広告閲覧をしたとしても、利用者Ａにポイントが付与されるのは１回に限られる。
【００３６】
又、広告毎に利用者に対し付与するポイントの上限を設定することも可能である。例えば、同一のリクエスト用アドレスに接した利用者が複数存在し、同一の広告を閲覧したとしても、一定回数に達した後に閲覧された場合にはポイントを付与しないようにすることも可能である。又、ポイントの付加を行わず、広告の配信だけを行うシステムとして稼働させることも出来ることは当然である。勿論、前述のように同一の利用者が広告閲覧によるポイントの付与は一度だけという条件は変わらない。
【図面の簡単な説明】
【００３７】
【図１】この発明の概念図
【図２】システムの概略フローチャートを示す図
【図３】利用者Ａから利用者ＢにKEYmailが転送された後に実行される簡易概略フローチャートを示す図
【図２】
2007041816.tif 000003
【図３】
2007041816.tif 000004
【図１】
2007041816.tif 000005